【事件の表示】
　平成　９年特許願第１７７３４９号「パチンコ機」拒絶査定不服審判事件〔平成１１年　１月２６日出願公開、特開平１１−１９３０１〕について、次のとおり審決する。
【結　論】
　本件審判の請求は、成り立たない。
【理　由】
１．手続の経緯
　本願は、平成９年７月２日の出願であって、平成１６年１０月２５日付けで拒絶理由が通知され、同年１２月２８日付けで手続補正がなされ、平成１７年４月４日付けで最後の拒絶理由が通知され、同年６月１０日付けで手続補正がなされ、同年９月２８日付けで補正の却下の決定がされるとともに拒絶査定がなされ、これに対し同年１１月４日に拒絶査定不服審判が請求され、同月３０日付けで手続補正がなされたものである。
　
２．平成１７年１１月３０日付けの手続補正についての補正却下の決定
［補正却下の決定の結論］
　平成１７年１１月３０日付けの手続補正（以下「本件補正」という。）を却下する。
　
［理由］
（１）本件補正後の本願発明
　平成１７年１１月３０日付けの手続補正により、特許請求の範囲は、
「【請求項１】　遊技域中に設けられ、第１の表示画面を備える第１の表示装置と、
　前記遊技域中に設けられ、前記第１の表示画面とは別な内容の表示を行う第２の表示画面を備える第２の表示装置と、
　前記第１の表示画面に表示する図柄を予め定められた順序に従って連続的に変更する変動表示を行った後、該変動表示を停止させて前記図柄の中から１つの停止図柄を明示する表示制御手段と、
　前記停止図柄として当り図柄が明示された場合に、特別遊技を実行する特別遊技実行手段と、
　前記第１の表示画面での停止図柄の組み合わせが、特定の図柄の組み合わせを構成する可能性があるリーチ状態であるとき、前記第２の表示画面に複数の図柄を同時に表示し、該第２の表示画面に表示される該図柄を予め定めた順列に従って順次表示する手段と、
　前記同時に表示される複数の図柄に、同一の図柄を含ませる手段と、
　前記第２の表示画面に表示されている図柄に基づいて、前記特別遊技実行手段による特別遊技の実行の決定を行わせる手段と
を備えることを特徴とするパチンコ機。
【請求項２】
　乱数を発生する乱数発生手段と、
　前記乱数発生手段が発生した乱数に応じて、変動表示する図柄の順番を様々に変更した差替順列を作成する順列作成手段と、
　前記第２の表示画面に表示される図柄を、前記予め定めた順列に代えて、前記順列作成手段にて作成された差替順列にする手段と
を備えることを特徴とする請求項１に記載のパチンコ機。
【請求項３】
　前記第２の表示画面に表示される図柄を、前記予め定めた順列に代えて、当り図柄を他の図柄よりも多く含めた差替順列にする特定図柄表示手段を備えることを特徴とする請求項１に記載のパチンコ機。
【請求項４】
　変動表示する図柄の順番を定めた差替順列を複数用意する手段と、
　前記第２の表示画面に表示される図柄を、前記予め定めた順列に代えて、前記差替順列の何れかにする図柄順列差替手段と
を備えることを特徴とする請求項１に記載のパチンコ機。
【請求項５】
　前記予め定めた順列のうち一部分を抽出し、該抽出した部分に代えて、当り図柄を含む差替順列を設定する手段を備えることを特徴とする請求項１に記載のパチンコ機。
【請求項６】
　前記第１の表示装置、又は第２の表示装置は、液晶表示装置、ＬＥＤ表示装置、又はマトリックス表示装置であることを特徴とする請求項１ないし請求項５の何れかに記載のパチンコ機。」から、
　
「【請求項１】　遊技域中に設けられ、第１の表示画面を備える第１の表示装置と、
　前記遊技域中に設けられ、前記第１の表示画面
がリーチ状態である場合用の
　前記第１の表示画面に表示する図柄を予め定められた順序に従って連続的に変更する変動表示を行った後、該変動表示を停止させて前記図柄の中から１つの停止図柄を明示する表示制御手段と、
　前記停止図柄として当り図柄が
前記第１の表示画面に
　前記第１の表示画面での停止図柄の組み合わせが、特定の図柄の組み合わせを構成する可能性があるリーチ状態であるとき、
前記第１の表示画面で変動表示中の図柄の表示をやめて、
した後に、該第２の表示画面に表示される該図柄の何れかを次々に明示後、該明示を停止
　前記同時に表示される複数の図柄に、同一の図柄を含ませる手段と、
　
前記明示を停止する手段が、前記図柄の明示を停止したときに、該明示されていた該図柄を、前記第１の表示画面で表示をやめた前記図柄の代わりに、該第１の表示画面に表示して、停止図柄として明示し、該第１の表示画面の停止図柄の明示
を備えることを特徴とするパチンコ機。」
へと補正された。（下線部が本件補正により追加又は変更された箇所。）
　
　本件補正は、上記最後の拒絶理由の指摘に対して「前記第１の表示画面とは別な内容の表示を行う第２の表示画面」を「前記第１の表示画面がリーチ状態である場合用の内容の表示を行う第２の表示画面」として、「別な内容の表示」がどのような表示かをより明確にし、
　同じく「当り図柄が明示された場合に、特別遊技を実行する」を「当り図柄が前記第１の表示画面に明示された場合に、特別遊技を実行する」として、当り図柄がどこに明示された場合に特別遊技を実行するのかをより明確にし、
　本件補正前の請求項１に記載した発明を特定するために必要な事項である「第１の表示画面」について、リーチ状態であるとき、「変動表示中の図柄の表示をやめ」という限定事項を付加し、
　同じく「第２の表示画面」について、複数の図柄を「順次表示した後に、該第２の表示画面に表示される該図柄の何れかを次々に明示後、該明示を停止」するという限定事項を付加し、
　同じく「特別遊技実行手段による特別遊技の実行の決定を行わせる手段」について、「前記明示を停止する手段が、前記図柄の明示を停止したときに、該明示されていた該図柄を、前記第１の表示画面で表示をやめた前記図柄の代わりに、該第１の表示画面に表示して、停止図柄として明示し、該第１の表示画面の停止図柄の明示に基づいて」決定を行わせるものである旨の限定事項を付加し、
　さらに、本件補正前の請求項２〜６を削除するものであって、
　平成１８年改正前特許法第１７条の２第４項第１号の請求項の削除、同項第２号の特許請求の範囲の減縮及び同項第４号の明りようでない記載の釈明を目的とするものに該当する。
　そこで、本件補正後の前記請求項１に記載された発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用文献
　原査定の拒絶の理由に引用された特開平８−１１７４０７号公報（以下「引用文献１」という。）には、図面とともに、
「【００１１】そして、本発明の目的とするところは、表示器における図柄がリーチ目となったとき、それまでの通常画面に代えて特別画面を現出させて、この特別画面において用意しておいた図柄の全てを表示するとともに、この図柄の内のどれが選択されるのかを表示することにより、液晶モニター等の表示器のメリットを十分生かすことができて、しかも遊技者に不安を与えないで興趣の維持を常に新鮮な状態で行うことのできる遊技機を提供することにある。
【００１５】・・・以下に示す実施例では、通常画面１１ａと特別画面１１ｂとの連続性をもたせるために、左及び中の表示箇所１２Ｌ及び１２Ｃが同一の図柄２０を表示したとき、各表示箇所１２Ｌ、１２Ｃ、及び１２Ｒが段階的に縮小されながら通常画面１１ａ上を隅の方に移動するとともに、変更された特別画面１１ｂ上にも表示されるものである。
【００１８】また、図３に示す実施例では、図３の（イ）に示すように、左及び中の表示箇所１２Ｌ、及び１２Ｃにおいてリーチ目が生じたときに、図３の（ロ）に示したような特別画面１１ｂに直ちに切り換わるのである。この特別画面１１ｂにおいては、全ての種類の図柄２０が図柄枠２２上に固定的に表示してあって、この図柄枠２２上を当りキャラクター２２ａが順に移動していくように表示されるものである。そして、この当りキャラクター２２ａが各図柄２０のどこで停止するか、あるいはどの図柄２０を食べるかによって、図３の（イ）に示した右表示箇所１２Ｒにおける図柄２０の決定がなされるのである。・・・
【００２１】図１には本発明に係るパチンコ機１００の正面図が示してあり、このパチンコ機１００は、その遊技盤の前面に略円状に設けた誘導レールによって区画された遊技領域を有していて、この遊技領域の略中央に、画像表示装置１０を構成している液晶モニター等の表示器１１を配置して、その画面を遊技盤の前面から見えるようにしたものである。また、このパチンコ機１００は、その遊技領域内に少なくとも１個の始動入賞口４１を有していて、この始動入賞口４１内に配置した始動入賞玉検出スイッチ４１ａからの信号によって後述する制御回路３０を作動させるものであり、これにより画像表示装置１０の表示器１１において大当り図柄が表示されたとき、遊技領域の下方部分に設けたアタッカー４２を開放して大当り遊技状態を現出させるようにしたものである。
【００２４】さて、このパチンコ機１００の前面から見える表示器１１は、図２または図３に示したように、通常は図２または図３の各（イ）にて示した３個（左、中、及び右）の表示箇所１２Ｌ、１２Ｃ、及び１２Ｒを表示する通常画面１１ａと、この通常画面１１ａにおいてリーチ目が表示された後に通常画面１１ａに代わって表示される特別画面１１ｂとを表示する機構を有しているものであり、後述する画像表示装置１０によって制御されるものである。なお、この表示器１１は、遊技盤の表面に取付られる取付基板を有し、この取付基板には略長方形状の表示窓が開設されていて、この表示窓に液晶モニターである当該表示器１１が臨むようにしてあるものである。
【００２９】ところで、通常画面１１ａの各表示箇所１２Ｌ、１２Ｃ及び１２Ｒにおいては、図２または図３の各（ロ）において示したような全ての図柄２０が垂直方向に上から下に向かってスクロールするように表示されるものであり、そのスクロール表示開始は前述した始動入賞口４１に入賞玉が入ったとき、あるいは始動記憶ランプの１個消灯時になされるものである。・・・なお、３つ全ての表示箇所１２Ｌ、１２Ｃ及び１２Ｒにおいて停止表示された図柄２０が、予め設定された大当り図柄（本実施例では全て同じ図柄２０となった場合）以外のものに表示されたときは、その回はハズレまたは中当りとされるものであって、アタッカー４２の開放操作がなされないか、あるいはその開放が大当りの場合よりも制限されて操作されることはいうまでもない。
【００３１】図３の（ロ）に示した特別画面１１ｂでは、全ての図柄２０を一つの図柄枠２２内で固定的に表示するようにしており、この図柄枠２２内の各図柄２０上を当りキャラクター２２ａが動き回るように表示するものである。そして、この当りキャラクター２２ａは図柄枠２２上の所定位置に停止するか、あるいはその場所の図柄２０を食べるように表示することによって、右表示箇所１２Ｒにおいて表示すべく選択される図柄２０を選択するものである。」
との記載が認められ、
　摘記した上記の記載や図面等によれば、引用文献１には、
「　遊技領域の略中央に表示器１１を配置し、該表示器１１は、３個の表示箇所１２Ｌ、１２Ｃ及び１２Ｒを表示する通常画面１１ａと、この通常画面１１ａにおいてリーチ目が表示された後に通常画面１１ａに代わって表示される特別画面１１ｂとを表示する機構を有し、
　前記通常画面１１ａの各表示箇所１２Ｌ、１２Ｃ及び１２Ｒにおいては、全ての図柄２０が垂直方向に上から下に向かってスクロールするように表示された後、３つ全ての表示箇所１２Ｌ、１２Ｃ及び１２Ｒにおいて図柄２０が停止表示され、
　該停止表示された図柄２０が予め設定された大当り図柄に表示されたとき、遊技領域の下方部分に設けたアタッカー４２を開放して大当り遊技状態を現出させ、
　前記通常画面１１ａの左及び中の表示箇所１２Ｌ及び１２Ｃにおいてリーチ目が生じたとき、前記特別画面１１ｂに直ちに切り換わり、該特別画面１１ｂにおいては、各表示箇所１２Ｌ、１２Ｃ、及び１２Ｒが縮小表示されるとともに全ての種類の図柄２０が図柄枠２２上に固定的に表示してあって、この図柄枠２２上を当りキャラクター２２ａが順に移動していくように表示され、該当りキャラクター２２ａを前記図柄枠２２上の所定位置に停止させ、
　前記当りキャラクター２２ａが図柄枠２２上の所定位置に停止することによって選択した図柄２０を右表示箇所１２Ｒにおいて表示し、前記停止表示された図柄２０が予め設定された大当り図柄以外のものに表示されたときはその回はハズレまたは中当りとされ、大当り図柄が表示されたときは遊技領域の下方部分に設けたアタッカー４２を開放して大当り遊技状態を現出させる
パチンコ機１００。」
の発明（以下「引用発明」という。）が開示されていると認めることができる。
　
（３）対比
　そこで、本願補正発明と引用発明とを比較すると、引用発明の「遊技領域の略中央に」は、本願補正発明の「遊技域中に」に相当し、以下同様に、
「配置し」は「設けられ」に、
「３個の表示箇所１２Ｌ、１２Ｃ及び１２Ｒを表示する通常画面１１ａ」は「第１の表示画面」に、
「全ての図柄２０が垂直方向に上から下に向かってスクロールするように表示された後」は「表示する図柄を予め定められた順序に従って連続的に変更する変動表示を行った後」に、
「３つ全ての表示箇所１２Ｌ、１２Ｃ及び１２Ｒにおいて図柄２０が停止表示」は「変動表示を停止させて前記図柄の中から１つの停止図柄を明示」に、
「停止表示された図柄２０が予め設定された大当り図柄に表示されたとき」は「停止図柄として当り図柄が前記第１の表示画面に明示された場合に」に、
「遊技領域の下方部分に設けたアタッカー４２を開放して大当り遊技状態を現出」は「特別遊技を実行」に、
「通常画面１１ａの左及び中の表示箇所１２Ｌ及び１２Ｃにおいてリーチ目が生じたとき」は「第１の表示画面での停止図柄の組み合わせが、特定の図柄の組み合わせを構成する可能性があるリーチ状態であるとき」に、
「全ての種類の図柄２０が図柄枠２２上に固定的に表示してあって」は「複数の図柄を同時に表示し、該第２の表示画面に表示される該図柄を予め定めた順列に従って順次表示した後に」に、
「この図柄枠２２上を当りキャラクター２２ａが順に移動していくように表示され」は「該第２の表示画面に表示される該図柄の何れかを次々に明示後」に、
「該当りキャラクター２２ａを前記図柄枠２２上の所定位置に停止」は「該明示を停止」に、
「前記当りキャラクター２２ａが図柄枠２２上の所定位置に停止することによって選択した図柄２０」は「前記明示を停止する手段が、前記図柄の明示を停止したときに、該明示されていた該図柄」に、
「右表示箇所１２Ｒにおいて表示し」は「第１の表示画面に表示して、停止図柄として明示し」に、
「パチンコ機１００」は「パチンコ機」に、それぞれ相当する。
　さらに、引用文献１の記載からみて、以下のことが言える。なお、この項において山括弧内の記載は、相当する本願補正発明の構成を示す。
　
ａ．引用発明の「特別画面１１ｂ」は、通常画面１１ａ＜第１の表示画面＞においてリーチ目が表示された後に通常画面１１ａに代わって表示されるものであるから、本願補正発明の「第１の表示画面がリーチ状態である場合用の内容の表示を行う第２の表示画面」に相当するものといえる。
　よって、引用発明の「特別画面１１ｂにおいては」は、本願補正発明の「第２の表示画面に」に相当する。
　
ｂ．引用発明における「通常画面１１ａ」＜第１の表示画面＞及び「特別画面１１ｂ」＜第１の表示画面がリーチ状態である場合用の内容の表示を行う第２の表示画面＞を表示する表示器１１と、本願補正発明における「第１の表示画面を備える第１の表示装置」及び「第１の表示画面がリーチ状態である場合用の内容の表示を行う第２の表示画面を備える第２の表示装置」とは、第１の表示画面及び第１の表示画面がリーチ状態である場合用の内容の表示を行う第２の表示画面を出す表示装置である点で共通している。
　
ｃ．引用発明において、図柄２０をスクロール表示させたり停止表示させたりするための表示制御手段、大当り遊技状態を現出させるための大当り遊技実行手段＜特別遊技実行手段＞、特別画面１１ｂにおいて図柄２０、図柄枠２２、当りキャラクター２２ａを表示し、該当りキャラクター２２ａを停止する手段を備えていることは明らかである。
　
ｄ．引用発明における「停止表示された図柄２０が予め設定された大当り図柄以外のものに表示されたときはその回はハズレまたは中当りとされ、大当り図柄が表示されたときは遊技領域の下方部分に設けたアタッカー４２を開放して大当り遊技状態を現出させる」ことは、停止表示された図柄２０に基づいて、大当り遊技（特別遊技）を実行するか否かを決めていることにほかならないから、引用発明は、実質的に本願補正発明の「第１の表示画面の停止図柄の明示に基づいて、前記特別遊技実行手段による特別遊技の実行の決定を行わせる手段」を備えているということができる。
　
　以上を総合すると、両者は、
「　遊技域中に設けられ、第１の表示画面及び第１の表示画面がリーチ状態である場合用の内容の表示を行う第２の表示画面を出す表示装置と、
　前記第１の表示画面に表示する図柄を予め定められた順序に従って連続的に変更する変動表示を行った後、該変動表示を停止させて前記図柄の中から１つの停止図柄を明示する表示制御手段と、
　前記停止図柄として当り図柄が前記第１の表示画面に明示された場合に、特別遊技を実行する特別遊技実行手段と、
　前記第１の表示画面での停止図柄の組み合わせが、特定の図柄の組み合わせを構成する可能性があるリーチ状態であるとき、前記第２の表示画面に複数の図柄を同時に表示し、該第２の表示画面に表示される該図柄を予め定めた順列に従って順次表示した後に、該第２の表示画面に表示される該図柄の何れかを次々に明示後、該明示を停止する手段と、
　前記明示を停止する手段が、前記図柄の明示を停止したときに、該明示されていた該図柄を、該第１の表示画面に表示して、停止図柄として明示し、該第１の表示画面の停止図柄の明示に基づいて、前記特別遊技実行手段による特別遊技の実行の決定を行わせる手段と
を備えるパチンコ機。」
の点で一致し、以下の点で相違している。
　
［相違点１］
　本願補正発明は、「第１の表示画面を備える第１の表示装置」と「第２の表示画面を備える第２の表示装置」を備えているのに対し、引用発明では、１つの表示器１１が「通常画面１１ａ」＜第１の表示画面＞と「特別画面１１ｂ」＜第２の表示画面＞とを表示する機構を有している点。
　
［相違点２］
　本願補正発明は、リーチ状態であるとき、前記第１の表示画面で変動表示中の図柄の表示をやめ、第２の表示画面に表示される図柄の明示を停止したときに、該明示されていた該図柄を、該第１の表示画面に表示するのに対し、引用発明では、リーチ目が生じたときの表示箇所１２Ｒの図柄２０の表示状態が明らかでない点。
　
［相違点３］
　本願補正発明は、同時に表示される複数の図柄に、同一の図柄を含ませる手段を備えているのに対し、引用発明は、その様な手段を備えていない点。
　
（４）判断
［相違点１について］
　２つの異なる画面を表示する際に、２つの表示装置を用いて表示したり、１つの表示装置に２つの分割画面を固定的に設けて表示したりすることは、例えば、特開平８−１１７４１６号公報（特に、請求項１、段落００５１及び図１）、特開平８−１１７４１５号公報（特に、段落００１８及び図６２）及び特開平８−１４１１７０号公報（特に、請求項５及び段落０００６）に記載されているように、従来パチンコ機の分野において普通に行われており、一般的にも２つの異なる画面を表示する際に、１つの表示装置を用いて適時に切り替えて表示したり、１つの表示装置に２つの分割画面を設けて表示したり、２つの表示装置を用いて表示したりすることが良く知られている。
　そして、引用発明のように「表示器１１」に通常画面１１ａ及び特別画面１１ｂのいずれかを切り換えて表示するか、本願補正発明のように「第１の表示装置」及び「第２の表示装置」に各々第１の表示画面及び第２の表示画面を表示するかによって奏せられる効果が格別異なるということもないから、相違点１に係る本願補正発明の構成は、パチンコ機の分野における通常の知識を有する者（以下「当業者」という。）が容易に想到し得るものである。
　請求人は、２表示装置によれば視線を移動させることができ、これと同様の視線移動を１つの表示装置で提供しようとすると極めて大きな表示装置を用いなければならない旨主張している（請求の理由【本願発明が特許されるべき理由】（４）の項）。
　しかし、本願明細書の発明の詳細な説明に「【００８８】尚、上記実施例では、表示枠５４及び第１〜第３図柄表示窓を１つの液晶画面５に表示しているが、表示枠５４と第１〜第３図柄表示窓とを別々の液晶画面に表示してもよい。」と記載されているように、実施例においては表示装置である液晶画面は１つであり、別々の液晶画面にした場合の画面配置や視線移動については、明細書や図面には記載されていないから、請求人の上記主張は特許請求の範囲や発明の詳細な説明等の記載に基づかない主張である。
　
［相違点２ついて］
　引用文献１の図３（イ）（ロ）では、リーチ目が生じたときの表示箇所１２Ｒには「？」が表示されている。また、引用発明の特別画面１１ｂにおいては、各表示箇所１２Ｌ、１２Ｃ及び１２Ｒが縮小表示されるとともに表示箇所１２Ｒのスクロール表示に代わる表示が主としてされているのであるから、遊技者は通常、特別画面の当りキャラクター２２ａに注目することが明らかである。
　そして、パチンコ機の分野では制御負担の軽減を考慮することが常であるから、引用発明において遊技者が注目しない表示箇所１２Ｒのスクロール表示をやめることは、当業者が容易に想到し得ることである。
　また、特別画面１１ｂにおいて図柄２０が選択された後においては、遊技者が大当り図柄の確認を行おうとすることも明らかであるから、当業者であれば、選択した図柄２０の右表示箇所１２Ｒへの表示までやめてしまうことは、通常行わないはずである。
　
［相違点３について］
　原査定の拒絶の理由に引用された、特開平８−２５２３６７号公報（以下「引用文献２」という。）には、リーチが成立している場合におけるＦの変動パターンではスクロール表示される図柄にリーチが成立している図柄と同じ種類の図柄を追加したり、リーチが成立している図柄以外の種類の図柄を前記同じ種類の図柄に変更する制御がなされる点が記載されている（特に、段落０１３９を参照）。
　また、同じく原査定の拒絶の理由に引用された、特開平９−１２２３２０号公報（以下「引用文献３」という。）には、リーチ状態で回転する「中の図柄リール７ｒ」について、算用数字の図柄の「７」の１コマ上の「☆」の図柄をもう１つの算用数字の図柄の「７」に入れ替え、さらに中の図柄リール７ｒの算用数字の図柄「３」の１コマ上の「☆」の図柄をもう１つの算用数字の図柄の「３」に入れ替える点が記載されている（特に、段落００３６及び図１０を参照）。
　そして、引用発明及び引用文献２、３の技術は、いずれもパチンコ機の分野に関するものであり、リーチ時に遊技者に期待感を与えようという課題においても共通しているので、引用発明に引用文献２又は３記載の技術を適用して、相違点３に係る本願補正発明の構成を追加することは、当業者が容易に想到し得る。
　
　さらに、本願補正発明の作用効果も、引用発明及び引用文献２又は３に記載された技術から当業者が予測できる範囲のものである。
　したがって、本願補正発明は、引用発明及び引用文献２又は３に記載された技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するので、特許法第１５９条第１項において読み替えて準用する特許法第５３条第１項の規定により却下されるべきものである。
　
３．本願発明について
　平成１７年１１月３０日付けの手続補正は上記のとおり却下されたので、本願の請求項１に係る発明（以下「本願発明」という。）は、平成１６年１２月２８日付けの手続補正書によって補正された明細書の特許請求の範囲の請求項１に記載された事項により特定される、以下のとおりのものである。
「　遊技域中に設けられ、第１の表示画面を備える第１の表示装置と、
　前記遊技域中に設けられ、前記第１の表示画面とは別な内容の表示を行う第２の表示画面を備える第２の表示装置と、
　前記第１の表示画面に表示する図柄を予め定められた順序に従って連続的に変更する変動表示を行った後、該変動表示を停止させて前記図柄の中から１つの停止図柄を明示する表示制御手段と、
　前記停止図柄として当り図柄が明示された場合に、特別遊技を実行する特別遊技実行手段と、
　前記第１の表示画面での停止図柄の組み合わせが、特定の図柄の組み合わせを構成する可能性があるリーチ状態であるとき、前記第２の表示画面に複数の図柄を同時に表示し、該第２の表示画面に表示される該図柄を予め定めた順列に従って順次表示する手段と、
　前記同時に表示される複数の図柄に、同一の図柄を含ませる手段と、
　前記第２の表示画面に表示されている図柄に基づいて、前記特別遊技実行手段による特別遊技の実行の決定を行わせる手段と
を備えることを特徴とするパチンコ機。」
　
（１）引用文献
　原査定の拒絶の理由に引用された引用文献１及びその記載事項は、上記「２．（２）」に記載したとおりである。
　
（２）対比・判断
　本願発明は、上記「２．（１）」で検討した本願補正発明から、
　「第１の表示画面」について、リーチ状態であるとき、「変動表示中の図柄の表示をやめ」という限定事項を省き、
　「第２の表示画面」について、複数の図柄を「順次表示した後に、該第２の表示画面に表示される該図柄の何れかを次々に明示後、該明示を停止」するという限定事項を省き、
　「特別遊技実行手段による特別遊技の実行の決定を行わせる手段」について、「前記明示を停止する手段が、前記図柄の明示を停止したときに、該明示されていた該図柄を、前記第１の表示画面で表示をやめた前記図柄の代わりに、該第１の表示画面に表示して、停止図柄として明示し、該第１の表示画面の停止図柄の明示に基づいて」決定を行わせるものである旨の限定事項を省き、
　さらに、本願補正発明の「前記第１の表示画面がリーチ状態である場合用の内容の表示を行う第２の表示画面」及び「当り図柄が前記第１の表示画面に明示された場合に、特別遊技を実行する」を、それぞれ「前記第１の表示画面とは別な内容の表示を行う第２の表示画面」及び「当り図柄が明示された場合に、特別遊技を実行する」という表現としたものである。
　
　そして、本願発明の構成要件を全て含み、さらに他の限定事項を付加したものに相当する本願補正発明が、上記「２．（４）」に記載したとおり、引用発明及び引用文献２又は３に記載された技術に基づいて当業者が容易に発明をすることができたものであるから、本願発明は、同様の理由により、引用発明及び引用文献２又は３に記載された技術に基づいて当業者が容易に発明をすることができたものである。
　
（３）むすび
　以上のとおり、本願発明は、引用発明及び引用文献２又は３に記載された技術に基づいて、当業者が容易に発明をすることができたものであるから、特許法第２９条第２項の規定により特許を受けることができない。
　そして、他の請求項（請求項２〜６）に係る発明については検討するまでもなく、本願は拒絶すべきものである。
　よって、結論のとおり審決する。